(57)【要約】  ＯＦＤＭ局およびＤＳＳＳ／ＣＣＫ局が共存するローカルエリア・ネットワークが提供される。コンテンションフリー期間の間、どちらの局もＩＥＥＥ８０２．１１規格で定められる集中制御機能ルールの下で動作する。どちらの局も、アクセスポイントからポーリングされた時にデータを送信する。コンテンションフリー期間は、ＯＦＤＭ局が分散制御機能の下で動作し、ＤＳＳＳ／ＣＣＫ局がアクセスポイントからポーリングされるのを待って通信を始める、サブコンテンション期間を有する。
2005514859.tif 000002
【特許請求の範囲】
【請求項１】
第１の変調スキームを用いて変調されたデータを送受信できる第１の局と、
第２の変調スキームを用いて変調されたデータを送受信できる第２の局と、
前記第１および第２の局と通信するためのアクセスポイントと、
を備え、
前記アクセスポイントは、コンテンションフリー期間の始まりを示すビーコンフレームを送信し、前記コンテンションフリー期間の後にはコンテンション期間が続き、前記コンテンションフリー期間は、前記第２の局がイネーブルされ、分散制御機能アクセス機構に従って前記第２の変調スキームにより変調されたデータを送信するサブコンテンション期間を備えることを特徴とする、システム。
【請求項２】
前記第１の変調スキームは、ＤＳＳＳ／ＣＣＫ変調スキームであることを特徴とする、請求項１に記載のシステム。
【請求項３】
前記第２の変調スキームは、ＯＦＤＭ変調スキームであることを特徴とする、請求項１に記載のシステム。
【請求項４】
前記サブコンテンション期間は、前記コンテンションフリー期間の最後に出現することを特徴とする、請求項１に記載のシステム。
【請求項５】
前記アクセスポイントは、前記サブコンテンション期間の継続時間をダイナミックに調整することを特徴とする、請求項１に記載のシステム。
【請求項６】
前記アクセスポイントは、前記第１および第２の局それぞれの帯域幅要件に基づいて前記サブコンテンション期間の継続時間をさらに調整することを特徴とする、請求項５に記載のシステム。
【請求項７】
前記アクセスポイントは、前記第１および第２の変調スキームを用いるそれぞれの装置の数に基づいて前記サブコンテンション期間の継続時間をさらに調整することを特徴とする、請求項５に記載のシステム。
【請求項８】
前記コンテンション期間の間、前記第２の局は、前記第２の変調スキームを表す情報を有する送信要求フレームを送信することを特徴とする、請求項１に記載のシステム。
【請求項９】
前記サブコンテンション期間の間、前記第２の局は、前記第２の変調スキームに従って変調された送信要求フレームおよび送信クリアフレームを送信することを特徴とする、請求項１に記載のシステム。
【請求項１０】
前記第２の局は、前記システムに接続したときに、前記第２の変調の性能を表す情報フィールドを送信することを特徴とする、請求項１に記載のシステム。
【請求項１１】
前記システムは、ＩＥＥＥ８０２．１１規格の下で動作することを特徴とする、請求項１に記載のシステム。
【請求項１２】
第１の変調スキームに従って変調されたデータを送受信できる第１の局と、第２の変調スキームに従って変調されたデータを送受信できる第２の局とに、ローカルエリア・ネットワーク上で通信できるアクセスポイントであって、
前記アクセスポイントはコンテンションフリー期間の始まりを示すビーコンフレームを送信し、前記コンテンションフリー期間の後にはコンテンション期間が続き、前記コンテンションフリー期間は、前記第２の局がイネーブルされ、分散制御機能アクセス機構に従って前記第２の変調スキームにより変調されたデータを送信するサブコンテンション期間を備えることを特徴とする、アクセスポイント。
【請求項１３】
前記第１の変調スキームは、ＤＳＳＳ／ＣＣＫ変調スキームであることを特徴とする、請求項１２に記載のアクセスポイント。
【請求項１４】
前記第２の変調スキームは、ＯＦＤＭ変調スキームであることを特徴とする、請求項１２に記載のアクセスポイント。
【請求項１５】
前記アクセスポイントは、前記サブコンテンション期間の継続時間をダイナミックに調整することを特徴とする、請求項１２に記載のアクセスポイント。
【請求項１６】
前記コンテンション期間の間、前記アクセスポイントは、前記第２の変調スキームを表す情報を有する送信要求フレームを送信することを特徴とする、請求項１２に記載のアクセスポイント。
【請求項１７】
前記サブコンテンション期間の間、前記アクセスポイントは、前記第２の変調スキームに従った送信要求フレームおよび送信クリアフレームを送信することを特徴とする、請求項１２に記載のアクセスポイント。
【請求項１８】
前記コンテンション期間の間、前記アクセスポイントは、前記第２の局から、前記第２の変調スキームを表す情報を有する送信要求フレームを受信することを特徴とする、請求項１２に記載のアクセスポイント。
【請求項１９】
前記第２の局が前記ローカルエリア・ネットワークに接続された時、前記アクセスポイントは、前記第２の局から前記第２の変調の性能を表す情報フィールドを受信することを特徴とする、請求項１２に記載のアクセスポイント。
【請求項２０】
ローカルエリア・ネットワーク内の局であって、
前記局は第１の変調スキームを用いてデータを送受信でき、
前記ローカルエリア・ネットワークは、第２の変調スキームを用いてデータを送受信できる第２の局と、どちらの局とも通信できるアクセスポイントとをさらに備え、
前記局は、前記アクセスポイントから送信されたビーコンフレームを受信し、前記ビーコンフレームはコンテンションフリー期間の始まりを示し、前記コンテンションフリー期間の後にコンテンション期間が続き、前記コンテンションフリー期間は、前記局がイネーブルされて分散制御機能アクセス機構に従って前記第１の変調スキームによりデータを送信するサブコンテンション期間を備えることを特徴とする、局。
【発明の詳細な説明】
【技術分野】
【０００１】
本発明は、ワイヤレス・ローカルエリア・ネットワークと、異なる変調スキームが行える局の共存とに関する。特に、本発明はＷＬＡＮ内の、ＯＦＤＭ変調データを送受信できる局と、ＤＳＳＳ／ＣＣＫ変調データを送受信できる局との共存と相互運用性とに関する。
【背景技術】
【０００２】
ＩＥＥＥ８０２．１１ＷＬＡＮ標準規格は、データ転送速度、変調のタイプ、スペクトル分散技術などについて数多くの物理層オプションを提供している。ＩＥＥＥ８０２．１１のエクステンション、すなわちＩＥＥＥ８０２．１１ａは、５ＧＨｚＵ−ＮＩＩ周波数、および６Ｍｐｓから５４Ｍｐｓの範囲のデータ転送速度で動作する物理層の要件を定めている。ＩＥＥＥ８０２．１１ａは、直交波周波数分割多重（ＯＦＤＭ）に基づいて物理層を定めている。この物理層は、ヨーロッパのＥＴＳＩ−ＨＩＰＥＲＬＡＮ  ＩＩ（欧州電気通信標準化協会−ハイパーＬＡＮ２）によって規定されているものと類似する。第２のエクステンション、ＩＥＥＥ８０２．１１ｂは、２．４ＧＨｚＩＳＭ周波数帯で、最大１１Ｍｐｓで動作する物理層の規格のセットを規定している。直接スペクトラム拡散／相補符号変調（ＤＳＳＳ／ＣＣＫ）物理層は、ＩＥＥＥ８０２．１１標準規格でサポートされる３つの物理層の１つであり、ＲＦ送信媒体として、２．４ＧＨｚ周波数帯を用いる。
【０００３】
ＩＥＥＥ標準化委員会は、８０２．１１ｂ標準規格の高速ＰＨＹエクステンションを開発するという任務のために作業部会ＴＧｇを作った。８０２．１１ｇ標準規格は、ＩＥＥＥ８０２．１１ＭＡＣに匹敵し、ＩＥＥＥ８０２．１１ｂＰＨＹ標準規格の全ての必須部分を満たすものである。ＴＧｇの範囲は、ＯＦＤＭ変調で通信する局とＤＳＳＳ／ＣＣＫ変調で通信するレガシー（ｌｅｇａｃｙ）局とが共存し、互いに通信するワイヤレスＬＡＮ標準規格を提供することである。
【０００４】
他のエクステンションである、ＩＥＥＥ８０２．１１ｅは、現在の８０２．１１ＭＡＣを強化して、サービス品質の要件を持つＬＡＮ用途にサポートを広げるものである。ＩＥＥＥ８０２．１１ｅは、１つの局から他の局への直接通信を可能にする。使用例としては、８０２．１１ワイヤレスネットワーク上での声、音声、映像の伝送、ビデオ会議、メディアストリームデストリビューション、安全強化用途、モバイルおよびノマディックアクセス用途などがある。
【発明の開示】
【発明が解決しようとする課題】
【０００５】
本発明の目的は、ＷＬＡＮ内で異なる変調で通信する局の相互運用を可能にすることである。
【０００６】
本発明の目的は、ＩＥＥＥ８０２．１１ＷＬＡＮ内でＯＦＤＭ局とレガシーＤＳＳＳ／ＣＣＫ局との共存を可能にすることである。
【０００７】
本発明の他の目的は、ＷＬＡＮ上での通信の新しいタイミング構造を提供することである。
【０００８】
本発明の他の目的は、ＯＦＤＭ局がコンテンションフリー期間内に分散制御機能（ｄｉｓｒｉｂｕｔｅｄ  ｃｏｏｒｄｉｎａｔｉｏｎ  ｆｕｎｃｔｉｏｎ）に従って通信できるようにすることである。
【課題を解決するための手段】
【０００９】
このために、本発明のシステムは、それぞれ第１の変調スキームを用いて変調されたデータを送受信できる、第１および第２の局を備える。第１の変調スキームはＤＳＳＳ／ＣＣＫ変調でよく、第２のスキームはＯＦＤＭ変調でよい。このシステムはさらに、第１および第２の局と通信するアクセスポイントを備える。アクセスポイントは、コンテンションフリー期間とそれに続くコンテンション期間の始まりを示すビーコンフレームを送信する。本発明では、コンテンションフリー期間はサブコンテンション期間を有する。このサブコンテンション期間内に、第２の局は分散制御機能アクセス機構に基づいて第２の変調スキームを用いて変調されたデータを送信する。
【発明の効果】
【００１０】
８０２．１１ＷＬＡＮ内でＤＳＳＳ／ＣＣＫ変調を用いたレガシー局は、他のＯＦＤＭ局と適切に通信できるように構成されていない。レガシー局はコンテンション期間の間、ＯＦＤＭ通信を検知しない。よって、ＯＦＤＭ変調データを復号できないレガシーＤＳＳＳ／ＣＣＫ装置は、ＩＥＥＥ８０２．１１で定められている衝突回避機構に従うことができない。故に、本発明は、同一のＷＬＡＮ内で、レガシー局とＯＦＤＭ局との共存を可能にする解決策を提供するものである。コンテンションフリー期間内に、第１および第２の局のどちらもが８０２．１１標準規格で定める集中制御機能（ｐｏｉｎｔ  ｃｏｏｒｄｉｎａｔｉｏｎ  ｆｕｎｃｔｉｏｎ）を用いて通信でき、どちらの局もアクセスポイントにポーリングされたときに通信する。本発明では、コンテンション期間内にサブコンテンション期間を取り入れる。このサブコンテンション期間は、第１の局がまだ集中制御機能ルールに従って動作している、すなわち第１の局がアクセスポイントにポーリングされた時に通信可能である時に、第２の局が分散制御機能アクセス機構に従って媒体にアクセスできるものである。本発明の１以上の実施形態では、アクセスポイントはサブコンテンション期間内に第１の局のポーリングを行わないように決定できる。こうして、第２の変調スキームのみを用いて通信できる第２の局および他の局と通信するように媒体を確保しておくことができる。第２の局が媒体にアクセスするのは、それをリスニング（ｌｉｓｔｅｎｉｎｇ）して、第２の変調スキームを用いて他の局とそれを争うことによってである。本発明の１以上の実施形態の利点は、サブコンテンション期間の間にＯＦＤＭ変調通信を可能にすることによって、ピュアなＯＦＤＭデータトラフィックと高いビットレートの通信を達成することである。本発明の１以上の実施形態の他の利点は、受信局、例えばアクセスポイントが、サブコンテンション期間中どの変調スキームが用いられているか理解していることである。故に、受信局は第２の変調スキームに従って自己がデータを受信することを理解している。このような理解はデータオーバヘッドを減らし、コスト削減と節電を可能にする。本発明のシステムの更なる利点は、帯域幅効率である。
【００１１】
本発明の１実施形態では、サブコンテンション期間はコンテンションフリー期間の最後に存在する。故に、コンテンションフリー期間の第１の部分では、第１および第２の局は集中制御機能のルールによって動作する。コンテンションフリー期間の第２であり最後の部分、すなわちサブコンテンション期間には、第１の局は集中制御機能のルールに従って動作したままであるが、第２の局は分散制御機能のルールに従って動作する。アクセスポイントは、サブコンテンション期間の間、第１の局をポーリングしないように設定されてもよい。
【００１２】
本発明の他の実施形態では、アクセスポイントはサブコンテンション期間の継続時間をダイナミックに調整する。調整は両局それぞれの帯域幅要件に基づいてなされてもよく、また第１および第２の変調スキームを用いてそれぞれ通信する多くの局に基づいてなされてもよい。
【００１３】
本発明は、このようなシステムのアクセスポイントと局にも関する。
【００１４】
添付の図面を参照して例をあげ、より詳細に本発明を説明する。
【００１５】
図面の中で、類似あるいは対応する特徴をもつ要素は、同様の参照数字によって識別される。
【発明を実施するための最良の形態】
【００１６】
図１に示す、本発明の８０２．１１ワイヤレス・ローカルエリア・ネットワーク１００は、アクセスポイントＡＰと、複数の局ＳＴＡ１−ＳＴＡ６とを備える。局ＳＴＡはＩＥＥＥ８０２．１１ｅエクステンションのところで述べたように直接他の局と通信してもよく、またアクセスポイントＡＰを介して他の局ＳＴＡと通信してもよく、アクセスポイントＡＰのみと通信してもよい。ＩＥＥＥ８０２．１１規格では、局ＳＴＡ１−ＳＴＡ６による媒体に対する２つのアクセス機構を記載している。分散制御機能と集中制御機能である。
【００１７】
集中制御機能は、中央で制御されるアクセス機構であり、アクセスポイントＡＰに配置されるポイントコーディネータが局ＳＴＡ１−ＳＴＡ６から媒体へのアクセスを制御する。局ＳＴＡ１−ＳＴＡ６は、ポイントコーディネータまたはアクセスポイントＡＰがそれらをポーリングリストに登録するように要求を出す。アクセスポイントＡＰはトラフィック情報と送信されるべきデータを得るために定期的にＳＴＡ１−ＳＴＡ６をポーリングするとともに、局ＳＴＡ１−ＳＴＡ６にデータを送信する。アクセスポイントＡＰは、図２に示すようにコンテンションフリー期間ＣＦＰと呼ばれるオペレーション期間を開始し、この期間の間、集中制御機能が動作する。このコンテンションフリー期間ＣＦＰの間、媒体へのアクセスは完全にアクセスポイントＡＰに制御される。コンテンションフリー期間ＣＦＰは周期的に現れ、局ＳＴＡ１−ＳＴＡ６にほぼ等時性のサービスを提供する。ＩＥＥＥ８０２．１１規格はまた、コンテンションフリー期間と交互に現れるコンテンション期間ＣＰを規定し、この期間内には分散制御機能ルールが働き、全ての局が後で説明するように媒体へのアクセスを争う。
【００１８】
図２は、コンテンションフリー期間ＣＦＰと、それに続くコンテンション期間ＣＰを示すタイミング図である。コンテンションフリー期間ＣＦＰは、アクセスポイントＡＰが分散制御機能プロシージャを用いて前のコンテンション期間ＣＰ内に媒体へのアクセスをしたときに始まる。媒体にアクセスすると、アクセスポイントＡＰはビーコンフレームＢＦを送信する。ビーコンフレームＢＦの送信は周期的でもよいが、アクセスポイントＡＰが分散制御機能ルールに従って媒体を争わなければならないため、理想的なスタートの瞬間からわずかに遅れてもよい。
【００１９】
コンテンションフリー期間ＣＦＰの間、アクセスポイントＡＰは媒体を制御し、トラフィックを局ＳＴＡ１−ＳＴＡ６に配信し、トラフィックをアクセスポイントＡＰに配信するためにコンテントフリーサービスを要求していた局ＳＴＡ１−ＳＴＡ６をポーリングする。その結果、コンテンションフリー期間ＣＦＰのトラフィックはアクセスポイントＡＰから１以上の局ＳＴＡ１−ＳＴＡ６に送られ、これらの局からの確認応答が後に続くフレームを有する。各局ＳＴＡは、アクセスポイントＡＰによって自己にアドレス指定されたフレームを受信し、確認応答を返す。アクセスポイントＡＰは、コンテンションフリーサービスを要求していたこれらの局ＳＴＡ１−ＳＴＡ６にコンテンションフリーポール（ＣＦ−Ｐｏｌｌ）フレームを送信する。ポーリングされた局が送信すべきトラフィックを有している場合、受信された各コンテンションフリーポールＣＦ−Ｐｏｌｌ毎に１フレームを送信することができる。局ＳＴＡが送信すべきトラフィックを有していない場合、コンテンションフリーポールＣＦ−Ｐｏｌｌに応答しない決定をすることができる。アクセスポイントＡＰは、１つの局にアドレス指定したコンテンションフリーポールＣＦ−Ｐｏｌｌを、その局に送信すべきデータと共に送信することができる。
【００２０】
コンテンションフリー期間ＣＦＰの間、局が媒体にアクセスするのを防ぐ主なメカニズムは、ＩＥＥＥ８０２．１１ＭＡＣによって行われる、ネットワーク・アロケーション・ベクトル（ＮＡＶ）である。ＮＡＶは、媒体が使用可能になるまでの時間を局ＳＴＡに知らせる値である。ＮＡＶは、全てのフレーム内で送信される継続時間値の間中、局内において通用するようにされたままでもよい。コンテンションフリー期間ＣＦＰの始めにアクセスポイントＡＰから送信されるビーコンフレームＢＦは、コンテンションフリー期間ＣＦＰの最大予測長についてのアクセスポイントＡＰからの情報を含むことができる。ビーコンフレームＢＦを受信する局ＳＴＡは、この情報を自己のＮＡＶに入力し、これによりコンテンションフリー期間ＣＦＰが終了するまで、あるいはアクセスポイントＡＰが局ＳＴＡに他の指定をするまで、媒体に独立的にアクセスすることが回避される。
【００２１】
コンテンション期間ＣＰの間、基本アクセス機構は分散制御機能であり、これは衝突回避を伴うキャリア検知多重アクセスを用いる。局ＳＴＡ１−ＳＴＡ６は、媒体を検知してすでに送信を搬送しているかどうか認識する。ＮＡＶがゼロにセットされた局ＳＴＡは、媒体が使用されていない状態になるまで送信を始めるのを待つ。局ＳＴＡはさらに、予定された受信者、アクセスポイントＡＰ、または他の局ＳＴＡへ送信要求フレームＲＴＳを送信し、予定された受信者からの送信クリアフレームＣＴＳを受信することにより、バーチャルキャリア検知を行う。ＲＴＳフレームは予定された送信の継続期間を知らせ、この持続期間はＣＴＳフレーム内でも送信されてもよい。いくつかの実施形態では、ＲＴＳ−ＣＴＳフレームの使用は余分なオーバヘッドを引き起こし、機構は小パケット通信をやめて、それらをより大きいパケットに使用する。
【００２２】
本発明の１実施形態では、システム１００はＤＳＳＳ／ＣＣＫ変調データを送受信できる第１のグループの局ＳＴＡ１−ＳＴＡ３と、ＯＦＤＭ変調データを送受信できる第２のグループの局ＳＴＡ４−ＳＴＡ６とを備える。局ＳＴＡ１−ＳＴＡ３は局ＳＴＡ４−ＳＴＡ６のひとつへ／ひとつから送受信されるＯＦＤＭ変調データを理解できない。故に、ＯＦＤＭ変調データを復号できない局ＳＴＡ１−ＳＴＡ３は、衝突回避機構に従うことができない。
【００２３】
高いデータスループットをもたらすために、システム１００は、時間をＯＦＤＭデータ送信のみに割り当てる。
【００２４】
システム１００がどのように動作するかのタイミング図が図３に示される。アクセスポイントＡＰは、ビーコンフレームＢＦを局ＳＴＡ１−ＳＴＡ６に送信することによってコンテンションフリー期間ＣＦＰを開始する。コンテンション期間ＣＰがコンテンションフリー期間ＣＦＰに続く。コンテンションフリー期間ＣＦＰは、第１のサブパートであるＣＣＫ／ＯＦＤＭコンテンションフリー期間３１０と、第２のサブパートであるＯＦＤＭコンテンション期間３２０とを有する。この実施形態では、ＣＣＫ／ＯＦＤＭコンテンションフリー期間３１０はＯＦＤＭコンテンション期間３２０の前にあるが、この順序は反対でもよい。
【００２５】
ＯＦＤＭコンテンション期間３２０の場所および／または継続時間は、ビーコンフレームＢＦの情報要素内で送信されてもよい。
【００２６】
期間３１０内では、ＣＣＫ局ＳＴＡ１−ＳＴＡ３およびＯＦＤＭ局ＳＴＡ４−ＳＴＡ６は、上述のように、アクセスポイントＡＰからポーリングされたときにアクセスポイントＡＰと通信する。この実施形態では、アクセスポイントＡＰが局ＳＴＡ４−ＳＴＡ６のＯＦＤＭ性能について知覚しているようにしてもよい。このために、局ＳＴＡ４−ＳＴＡ６がネットワークに入ったとき、例えば認証の間などにＯＦＤＭ性能を示す情報フィールドが交換されてもよい。情報フィールドのＯＦＤＭビットが、局ＳＴＡ４−ＳＴＡ６のＯＦＤＭ性能を示すために取っておかれてもよい。そして、コンテンションフリー期間３１０内にアクセスポイントＡＰが局ＳＴＡをポーリングしたり、アクセスする必要があるときには、局ＳＴＡの概知の性能に基づいてＤＳＳＳ／ＣＣＫまたＯＦＤＭ変調を用いてアクセスする。局ＳＴＡは次に、自己がアドレス指定されたのと同じ変調を用いてアクセスポイントＡＰに応答してもよい。本発明の１実施形態では、アクセスポイントＡＰは送受信局それぞれの性能に基づいて受信局に送信するために受信したＯＦＤＭ（またはＤＳＳＳ／ＣＣＫ）変調データをＤＳＳＳ／ＣＣＫ（ＯＦＤＭ）変調データに変換する。
【００２７】
期間３２０の間、ＣＣＫ局ＳＴＡ１−ＳＴＡ３は、アクセスポイントＡＰからポーリングされたときにアクセスポイントＡＰと通信する。この実施形態では、アクセスポイントＡＰは期間３２０の間、局ＳＴＡ１−ＳＴＡ３をポーリングしないように設定されており、その結果、局ＳＴＡ１−ＳＴＡ３は期間３２０の間、データを送信しない。この期間３２０の間、ＯＦＤＭ局ＳＴＡ４−ＳＴＡ６は分散制御機能に基づいて互いに、あるいはアクセスポイントＡＰと通信する。このようなＯＦＤＭコンテンション期間３２０は、ピュアＯＦＤＭデータトラフィックを媒体にロードさせることを可能にし、よって高いデータスループットを可能にする。
【００２８】
上述の通り、局ＳＴＡ４−ＳＴＡ６は期間３２０の間、送信要求ＲＴＳフレームを予定された受信者に送信し、予定された受信者からの送信クリアＣＴＳフレームの受信を待って送信をスタートすることにより、媒体へアクセスする。本実施形態では、期間３２０の間は、ＯＦＤＭ局のみが通信できる。その結果、ＲＴＳおよびＣＴＳフレームはＤＳＳＳ／ＣＣＫ変調を用いて変調する必要がなく、その代わりにＯＦＤＭ変調されることによってデータオーバヘッドを削減し、帯域幅効率を向上させることができる。
【００２９】
次にコンテンションフリー期間ＣＦＰの後に、コンテンション期間３３０が続く。期間３３０の間、レガシー装置ＳＴＡ１−ＳＴＡ３とＯＦＤＭ装置ＳＴＡ４−ＳＴＡ６の両方が媒体を争い、データを送信する。その代わりに、コンテンション期間３３０の間、レガシー装置ＳＴＡ１−ＳＴＡ３のみが通信してもよい。
【００３０】
本発明の１実施形態では、局ＳＴＡ１−ＳＴＡ６は、ＤＳＳＳ／ＣＣＫ変調データのみを送信してもよい。次に局ＳＴＡ４−ＳＴＡ６はＤＳＳＳ／ＣＣＫ変調ＲＴＳおよびＣＴＳフレームを送信する必要がある。
【００３１】
他の実施形態では、局ＳＴＡ４−ＳＴＡ６はＣＣＫ変調またはＯＦＤＭ変調のどちらかを用いて通信してもよい。よって、図４に示されるように、ＲＴＳＡフレームおよびＣＴＳＡフレームが二者択一的に挿入される。ＯＦＤＭ局ＳＴＡ４−ＳＴＡ６のひとつ、またはアクセスポイントＡＰがコンテンション期間３３０内にＯＦＤＭデータの送信を求めた場合、ＯＦＤＭ変調データが送信されている、あるいは将来送信されることを示すフィールドを含む、このような二者択一ＲＴＳＡフレームを送信する。この二者択一ＲＴＳＡフレームは受信局にＯＦＤＭ変調が用いられることを知らせる。例えば、ＯＦＤＭ局ＳＴＡ４−ＳＴＡ６のひとつあるいはアクセスポイントＡＰが、受信局にデータについてＯＦＤＭ変調あるいはＤＳＳＳ／ＣＣＫ変調のどちらかを用いるように要求する要素を有する送信要求フレームＲＴＳＡを送信する。ＲＴＳＡフレームはＤＳＳＳ／ＣＣＫで変調される。次に受信局が送信クリアＣＴＳＡフレーム内で、ＯＦＤＭ変調を受け入れるか、拒否するか示す。受信局がＯＦＤＭ変調を拒否する場合、局ＳＴＡ４−ＳＴＡ６はＤＳＳＳ／ＣＣＫ変調を用いる。
【００３２】
本発明の他の実施形態では、アクセスポイントＡＰはＯＦＤＭ局ＳＴＡ４−ＳＴＡ６それぞれの帯域幅要求に基づいてコンテンション期間３２０の継続時間をダイナミックに調整する。故に、局ＳＴＡ１−ＳＴＡ３に比べて、より大きな帯域幅の要求が局ＳＴＡ４−ＳＴＡ６から出されるほど、コンテンション期間３２０は長くなる。代わりに、アクセスポイントＡＰはＯＦＤＭ変調ができる局の数に基づいてコンテンション期間３２０の継続時間を調整してもよい。ＯＦＤＭ局ＳＴＡの割合がネットワーク内の局の総計に対して高い場合、アクセスポイントＡＰはコンテンション期間３２０の継続時間を長くする。図５は、サブコンテンション期間３２０からサブコンテンション期間３２２への動的調整と、コンテンション期間３３０からコンテンション期間３３２への動的調整を示す。
【図面の簡単な説明】
【００３３】
【図１】本発明のワイヤレス・ローカルエリア・ネットワークを示す図。
【図２】ワイヤレス・ローカルエリア・ネットワーク内の通信期間を示すタイミング図。
【図３】本発明の通信期間を示すタイミング図。
【図４】本発明の送信要求フレームおよび送信クリアフレームを示す図。
【図５】サブコンテンション期間とコンテンション期間の動的調整を示す図。
【符号の説明】
【００３４】
ＡＰ  アクセスポイント
ＳＴＡ１〜ＳＴＡ６  局
１００  システム
３１０  コンテンションフリー期間
３２０  コンテンション期間
【図１】
2005514859.tif 000003
【図２】
2005514859.tif 000004
【図３】
2005514859.tif 000005
【図４】
2005514859.tif 000006
【図５】
2005514859.tif 000007
【国際調査報告】
2005514859.tif 000008
2005514859.tif 000009
2005514859.tif 000010
2005514859.tif 000011